(57)【要約】【課題】記録媒体を保管する保管棚、及び記録媒体に対する情報の記録及び再生を行う情報記録再生機の温度を、適切な温度にそれぞれ調節し、また保管棚が複数あるときは、各保管棚を適切な温度にそれぞれ調節し、温度調節に必要な消費電力を抑制することができる記録媒体保管システムを提供する。【解決手段】複数の保管棚１４、１４、・・・及び情報記録再生機５を複数の収容室１、１、・・・に収容して、隔壁２により保管棚１４及び情報記録再生機５を分離し、また各収容室１に保管棚１４をそれぞれ収容し、前記保管棚１４及び情報記録再生機５の温度を各別に調節する複数の温度調節器３、３、・・・を各収容室１にそれぞれ設ける構成とした。【選択図】図１
2008251122.tif 000002
【特許請求の範囲】
【請求項１】
情報を記録する記録媒体を保管する保管棚と、前記記録媒体に対し情報の記録及び再生を行う情報記録再生機とを備える記録媒体保管システムにおいて、
前記保管棚を複数有しており、前記保管棚及び情報記録再生機を分離して配置してあり、
前記保管棚及び情報記録再生機の温度を各別に調節すると共に前記保管棚の温度を各別に調節する複数の温度調節器と、
前記情報記録再生機及び保管棚の間を往復し、前記記録媒体を搬送する搬送機と、
前記記録媒体の読取りエラー頻度を記憶する記憶手段と、
該記憶手段に記憶してある読取りエラー頻度に基づいて、前記記録媒体を保管する前記保管棚を決定する手段を有し、前記搬送機の移動を制御する移動制御手段と
を備えることを特徴とする記録媒体保管システム。
【請求項２】
前記記録媒体を加熱する媒体加熱器と、
該媒体加熱器により加熱された前記記録媒体の読取りエラー頻度を検出し、検出した読取りエラー頻度を前記記憶手段に記憶させる手段と
を備えることを特徴とする請求項１に記載の記録媒体保管システム。
【請求項３】
前記記憶手段に前記記録媒体の複数温度での読取りエラー頻度を記憶してあり、
前記移動制御手段は、前記記憶手段に記憶してある複数温度での前記読取りエラー頻度に基づいて、記録媒体の温度に対する読取りエラー頻度を決定する手段を有することを特徴とする請求項１又は２に記載の記録媒体保管システム。
【請求項４】
前記記録媒体に対し情報を再生した時点を記憶する時点記憶手段を備え、
前記移動制御手段は、前記時点記憶手段に記憶してある時点に基づいて、前記保管棚での前記記録媒体の配置を決定する手段を有することを特徴とする請求項１乃至３のいずれか一つに記載の記録媒体保管システム。
【発明の詳細な説明】
【技術分野】
【０００１】
本発明は、情報を記録する記録媒体を保管する保管棚、並びに前記記録媒体に対し情報の記録及び再生を行う情報記録再生機の温度を調節する記録媒体保管システムに関する。
【背景技術】
【０００２】
従来の記録媒体保管システムは、空気調節器を設けてある筐体に、情報を記録する記録媒体を保管する保管棚と、前記記録媒体に対し情報の記録及び再生を行う情報記録再生機とを配置し、前記記録媒体及び情報記録再生機を収容していた。また前記保管棚と、前記情報記録再生機とを同じ筐体に収容し、該筐体に設けてある冷却ファンにより前記記録媒体及び情報記録再生機を冷却し、保管していた（特許文献１参照）。
【特許文献１】特開平９−２５９５０２号公報
【発明の開示】
【発明が解決しようとする課題】
【０００３】
従来の記録媒体保管システムは、前記情報記録再生機の作動に適した温度の上限が、前記記録媒体の保存に適した温度の上限よりも低いため、筐体内の温度が前記記録媒体に適した温度の上限未満であって、前記情報記録再生機の作動に適した温度の上限以上であるときには、空気調節器により情報記録再生機の作動に適した温度に調節しており、空気調節器の消費電力が増大する。
【０００４】
また筐体に設けてある冷却ファンにより、前記記録媒体及び情報記録再生機を冷却する記録媒体保管システムは、情報記録再生機を冷却するために大型の冷却ファンを用いており、記録媒体が増加するに連れて情報記録再生機も増加し、大型の冷却ファンの数が増加して、該冷却ファンの駆動に必要な消費電力が増大する。
【０００５】
本発明は斯かる事情に鑑みてなされたものであり、前記保管棚及び情報記録再生機を分離して配置し、前記保管棚及び情報記録再生機の温度を各別に調節する複数の温度調節器を設けることにより、前記保管棚及び情報記録再生機を適切な温度にそれぞれ調節し、温度調節器の消費電力を抑制することができる記録媒体保管システムを提供することを目的とする。
【０００６】
また前記保管棚を複数設け、保管棚の温度を各別に調節する温度調節器を設け、記録媒体の前記読取りエラー頻度に基づいて、記録媒体を保管する保管棚を決定する手段を設けることにより、記録媒体を保管する保管棚を選択し、記録媒体を適切な室温で保管して温度調節器の消費電力を抑制することができる記録媒体保管システムを提供することを目的とする。
【０００７】
また前記記録媒体を加熱する媒体加熱器を設け、加熱された記録媒体の前記読取りエラー頻度を検出し、検出した読取りエラー頻度を記憶させる手段を設けることにより、記録媒体の前記読取りエラー頻度が不明な場合に、読取りエラー頻度を検出し、適切な室温に設定してある保管棚に記録媒体を保管して、温度調節器の消費電力を抑制することができる記録媒体保管システムを提供することを目的とする。
【０００８】
また前記記録媒体の複数温度での読取りエラー頻度を記憶する手段と、複数温度での読取りエラー頻度に基づいて、温度に対する読取りエラー頻度を算出する手段とを設けることにより、例えば高温での読取りエラー頻度が不明な場合に、高温での読取りエラー頻度を算出し、算出した読取りエラー頻度に対応する保管棚に記録媒体を保管して、温度調節器の消費電力を抑制することができる記録媒体保管システムを提供することを目的とする。
【０００９】
また前記記録媒体に記録してある情報を再生した時点を記憶する手段を設け、記憶してある時点に基づいて、前記保管棚での前記記録媒体の配置を決定する手段を設けることにより、再生される頻度が高い記録媒体を前記情報記録再生機に近い位置に配置し、記録媒体へのアクセス時間を短縮することができる記録媒体保管システムを提供することを目的とする。
【課題を解決するための手段】
【００１０】
本発明に係る記録媒体保管システムは、情報を記録する記録媒体を保管する保管棚と、前記記録媒体に対し情報の記録及び再生を行う情報記録再生機とを備える記録媒体保管システムにおいて、前記保管棚を複数有しており、前記保管棚及び情報記録再生機を分離して配置してあり、前記保管棚及び情報記録再生機の温度を各別に調節すると共に前記保管棚の温度を各別に調節する複数の温度調節器と、前記情報記録再生機及び保管棚の間を往復し、前記記録媒体を搬送する搬送機と、前記記録媒体の読取りエラー頻度を記憶する記憶手段と、該記憶手段に記憶してある読取りエラー頻度に基づいて、前記記録媒体を保管する前記保管棚を決定する手段を有し、前記搬送機の移動を制御する移動制御手段とを備えることを特徴とする。
【００１１】
本発明にあっては、前記保管棚及び情報記録再生機を分離して配置し、前記保管棚及び情報記録再生機の温度を各別に調節すると共に、複数の保管棚の温度を各別に調節する複数の温度調節器を設け、記録媒体の前記読取りエラー頻度に基づいて、記録媒体を保管する保管棚を決定する手段を設けることにより、前記保管棚及び情報記録再生機を適切な温度に各別に調節し、且つ複数の保管棚の温度を各別に調節して、記録媒体を保管する保管棚を選択し、記録媒体を適切な室温で保管する。
【００１２】
本発明に係る記録媒体保管システムは、前記記録媒体を加熱する媒体加熱器と、該媒体加熱器により加熱された前記記録媒体の読取りエラー頻度を検出し、検出した読取りエラー頻度を前記記憶手段に記憶させる手段とを備えることを特徴とする。
【００１３】
本発明にあっては、前記記録媒体を加熱する媒体加熱器を設け、加熱された記録媒体の前記読取りエラー頻度を検出し、検出した読取りエラー頻度を記憶させる手段を設けることにより、記録媒体の前記読取りエラー頻度が不明な場合に、読取りエラー頻度を検出し、適切な室温に設定してある保管棚に記録媒体を保管する。
【００１４】
本発明に係る記録媒体保管システムは、前記記憶手段に前記記録媒体の複数温度での読取りエラー頻度を記憶してあり、前記移動制御手段は、前記記憶手段に記憶してある複数温度での前記読取りエラー頻度に基づいて、記録媒体の温度に対する読取りエラー頻度を決定する手段を有することを特徴とする。
【００１５】
本発明にあっては、前記記録媒体の複数温度での読取りエラー頻度を記憶する手段と、複数温度での前記読取りエラー頻度に基づいて、温度に対する読取りエラー頻度を算出する手段とを設けることにより、例えば高温での読取りエラー頻度が不明な場合であって、読取りエラー頻度と温度との関係に線形関係があるときに、低温域での複数の読取りエラー頻度に基づいて、高温での読取りエラー頻度を算出し、算出した高温での読取りエラー頻度に対応する保管棚に記録媒体を保管する。
【００１６】
本発明に係る記録媒体保管システムは、前記記録媒体に対し情報を再生した時点を記憶する時点記憶手段を備え、前記移動制御手段は、前記時点記憶手段に記憶してある時点に基づいて、前記保管棚での前記記録媒体の配置を決定する手段を有することを特徴とする。
【００１７】
本発明にあっては、前記記録媒体に記録してある情報を再生した時点を記憶する手段を設け、記憶してある時点に基づいて、前記保管棚での前記記録媒体の配置を決定する手段を設けることにより、保管棚に保管される複数の記録媒体の再生時点を比較して、再生される頻度が高い記録媒体を前記情報記録再生機に近い位置に配置する。
【発明の効果】
【００１８】
本発明に係る記録媒体保管システムにおいては、前記保管棚及び情報記録再生機を分離して配置し、前記保管棚及び情報記録再生機の温度を各別に調節すると共に複数の保管棚の温度を各別に調節する複数の温度調節器を設け、記録媒体の前記読取りエラー頻度に基づいて、記録媒体を保管する保管棚を決定する手段を設けることにより、前記保管棚及び情報記録再生機を適切な温度にそれぞれ調節すると共に複数の保管棚の温度を各別に調節して、記録媒体を保管する保管棚を選択し、記録媒体を適切な室温で保管して温度調節器の消費電力を抑制することができる。
【００１９】
本発明に係る記録媒体保管システムにおいては、前記記録媒体を加熱する媒体加熱器を設け、加熱された記録媒体の前記読取りエラー頻度を検出し、検出した読取りエラー頻度を記憶させる手段を設けることにより、記録媒体の前記読取りエラー頻度が不明な場合に、読取りエラー頻度を検出し、適切な室温に設定してある保管棚に記録媒体を保管して、温度調節器の消費電力を抑制することができる。
【００２０】
本発明に係る記録媒体保管システムにおいては、前記記録媒体の複数温度での前記読取りエラー頻度を記憶する手段と、記憶した読取りエラー頻度に基づいて、温度に対する読取りエラー頻度を算出する手段とを設けることにより、例えば高温での読取りエラー頻度が不明な場合に、低温域での読取りエラー頻度に基づいて、高温での読取りエラー頻度を算出し、算出した読取りエラー頻度に対応する保管棚に記録媒体を保管して、温度調節器の消費電力を抑制することができる。
【００２１】
本発明に係る記録媒体保管システムにおいては、前記記録媒体に記録してある情報を再生した時点を記憶する手段を設け、記憶してある時点に基づいて、前記保管棚での前記記録媒体の配置を決定する手段を設けることにより、再生される頻度が高い記録媒体を前記情報記録再生機に近い位置に配置し、記録媒体へのアクセス時間を短縮することができる。
【発明を実施するための最良の形態】
【００２２】
（実施の形態１）
以下本発明を実施の形態１に係る記録媒体保管システムを示す図面に基づいて詳述する。図１は実施の形態１に係る記録媒体保管システムの要部構成を示す模式的断面図、図２は記録媒体保管システムの搬送機の移動状態を説明する説明図、図３は記録媒体保管システムの搬送機の要部構成を示す模式的斜視図、図４は記録媒体保管システムの搬送機の左右摺動駒付近の構成を示す模式的部分正面図である。
【００２３】
図において１は、情報記録再生機５、保管棚１４及び媒体補充庫８０を収容する複数の収容室であり、各収容室１は複数の隔壁２を介して連ねてある。情報記録再生機５及び媒体補充庫８０は一の収容室１に収容してあり、他の収容室１に複数の保管棚１４をそれぞれ収容してある。
【００２４】
各収容室１に温度を調節する複数の空気調節器３、３、・・・を設けてあり、前記情報記録再生機５及び媒体補充庫８０を収容している収容室１の空気調節器３は、室温の設定を、例えば１０乃至４５℃にしてあり、各収容室１の空気調節器３、３、・・・は、室温の設定を、例えば−１０乃至３０℃、−１０乃至５０℃等それぞれ異なる温度域に設定してある。
【００２５】
前記情報記録再生機５は、直方体状の筐体５０を備えており、該筐体５０の背面中央部に収容室１の空気を筐体５０内に供給する供給ファン９１を設けてある。また前記筐体５０の正面にカートリッジＣに格納してある記録媒体に対し情報を記録又は再生する複数のドライブ６、６、・・・を設けてある。該ドライブ６は薄い箱形をなし、前記カートリッジＣを挿入する挿入口を有する。なお前記筐体５０は断熱性を備える。
【００２６】
前記筐体５０の正面に、記録媒体に対し情報を記録又は再生するドライブの内部に、記録媒体を加熱する電熱線７ａと、記録媒体の温度を測定する光学式温度センサ７ｂとを有してなり、後述する読取りエラー頻度を測定するエラー頻度測定器７を備える。該エラー頻度測定器７は薄い箱形をなし、前記カートリッジＣを挿入する挿入口を有する。なお該筐体５０には図示しない排気口を設けてあり、前記ドライブ６及びエラー頻度測定器７を冷却した空気が排出される。
【００２７】
前記情報記録再生機５に隣接して、情報記録再生機５及び後述する搬送機１５の作動を制御する制御装置８が設けてあり、該制御装置８は前記搬送機１５との間で信号を送受信する送受信アンテナ９を備える。
【００２８】
前記媒体補充庫８０は前記カートリッジＣを載置する棚を備えている。前記媒体補充庫８０のカートリッジＣが載置される部分に、前記カートリッジＣが載置されたことを検出する載置センサ４０ａを設けてある。
【００２９】
前記保管棚１４は、前記カートリッジＣを保管する複数の保管セル１４ｂ、１４ｂ、・・・を備えており、該保管棚１４の背面中央部に収容室１の空気を保管棚１４内に供給する供給ファン９２を設けてある。前記保管セル１４ｂに、前記カートリッジＣが格納されたことを検出する格納センサ１４ａを設けてある。なお前記保管棚１４には図示しない排気口を設けてあり、前記保管セル１４ｂを冷却した空気が排出される。また保管棚１４は断熱性を備える。
【００３０】
前記隔壁２は、物体が接近したときに、該隔壁２に対し平行に移動して開扉する自動扉２ａを有しており、前記収容室１の床面に該自動扉２ａが摺動する扉摺動溝２ｂを形成してある。
【００３１】
前記収容室１の床面に、後述する搬送機１５の車輪１５ａを案内し、前記扉摺動溝２ｂに直角な二つの案内溝１０、１０が、各収容室１に亘り延設してある。該案内溝１０、１０は互いに略平行な直線状をなし、前記情報記録再生機５、保管棚１４及び媒体補充庫８０の正面側に位置している。また前記案内溝１０、１０の間に、後述する磁気センサ３１により検出される複数の磁性体３２を前記案内溝１０、１０に沿って並設してある。
【００３２】
カートリッジＣを搬送する略直方体の搬送機１５が、前記案内溝１０の上側に配置してあり、該搬送機１５の底面に前記案内溝１０に案内される複数の車輪１５ａを設けてある。該車輪１５ａには図示しないモータの回転軸を連結してあり、モータの回転が車輪１５ａに伝動して前記搬送機１５が前記案内溝１０に沿って移動する構成となっている。
【００３３】
前記搬送機１５の上部には前記制御装置８との間で信号を送受信する送受信アンテナ１６を設けてあり、前記搬送機１５の下部には前記磁性体３２を検出し、前記搬送機１５の位置を検出する磁気センサ３１を設けてある。また前記搬送機１５が、前記情報記録再生機５、保管棚１４及び媒体補充庫８０のある位置に移動したときに、前記搬送機１５の正面が、前記情報記録再生機５、保管棚１４及び媒体補充庫８０の正面に対向する。
【００３４】
前記搬送機１５の正面の四隅に、上下に貫通した支持孔を備える四つの支持ブロック１７、１７、・・・が設けてあり、該支持孔に二つの上下案内シャフト１８、１８を挿入し支持してある。該上下案内シャフト１８、１８には、二つの上下摺動駒１９、１９がそれぞれ設けてあり、前記上下案内シャフト１８、１８に直角な左右案内シャフト２０が、二つの該上下摺動駒１９、１９に連結してある。
【００３５】
一の上下案内シャフト１８を支持している上下二つの支持ブロック１７、１７に、二つのモータ２２ａ、２２ａを収容する二つのモータ収容部２２、２２がそれぞれ設けてある。該モータ収容部２２、２２から、前記モータ２２ａ、２２ａの回転軸に連結してある二つのプーリ２３、２３を、前記左右案内シャフト２０の軸長方向であって同じ向きにそれぞれ突出させてある。また上下案内シャフト１８を摺動する上下摺動駒１９に、直方体状のベルト連結片１９ａを前記プーリ２３、２３の突出方向と同じ向きに突出させてある。二つの前記プーリ２３、２３に伝動ベルト２４を掛けてあり、該伝動ベルト２４に前記ベルト連結片１９ａを連結してあり、前記モータ２２ａ、２２ａの回転が前記伝動ベルト２４に伝動し、二つの前記上下摺動駒１９、１９が摺動する。
【００３６】
前記左右案内シャフト２０に左右摺動駒２１が設けてある。前記上下摺動駒１９、１９に二つのモータ２５、２５をそれぞれ収容してあり、該上下摺動駒１９、１９の下部にて、前記モータ２５、２５の回転軸に連結してある二つのプーリ２６、２６が、搬送機１５の正面に垂直な方向にそれぞれ突出している。該プーリ２６、２６は前記左右摺動駒２１よりも下側に配置してある。また前記左右摺動駒２１から下向きにベルト連結片２１ａを立ち上げてある。二つの前記プーリ２６、２６に伝動ベルト２７を掛けてあり、前記伝動ベルト２７に前記ベルト連結片２１ａを連結してあり、前記モータ２５、２５の回転が前記伝動ベルト２７に伝動し、前記左右摺動駒２１が摺動する。
【００３７】
該左右摺動駒２１から前後シャフト２９が正面側に延出している。前記左右摺動駒２１は図示しないボールねじを内部に有しており、該ボールねじに前記前後シャフト２９は連結してある。該ボールねじの回転により前記前後シャフト２９は、前記搬送機１５の正面に垂直な方向に移動する。該前後シャフト２９の先端にカートリッジＣを把持するコの字形の把持部３０が設けてあり、前記上下摺動駒１９、１９、左右摺動駒２１及び前後シャフト２９の移動により、該把持部３０は上下、左右、前後に移動する。
【００３８】
次に実施の形態１に係る記録媒体保管システムのエラー頻度選択処理について説明する。エラー頻度選択処理は、媒体補充庫８０に載置してあるカートリッジＣを保管棚１４に格納する場合に、カートリッジＣを格納する保管棚１４を、読取りエラー頻度に基づいて選択する処理をいう。
【００３９】
図５は実施の形態１に係る記録媒体保管システムの制御装置８の要部構成を示すブロック図、図６及び図７は実施の形態１に係る記録媒体保管システムの制御装置８のエラー頻度選択処理を示すフローチャート、図８は記録媒体の読取りエラー頻度と温度との関係の一例を示すグラフである。
【００４０】
制御装置８は後述するエラー頻度選択処理及び重要値等分別処理を行うＣＰＵ８ａと、エラー頻度選択処理及び重要値等分別処理を制御する制御プログラムと、後述する重要値の下限値Ｌとを格納するＲＯＭ８ｂと、エラー頻度選択処理及び重要値等分別処理に必要な情報を一時的に格納するＲＡＭ８ｃと、前記格納センサ１４ａ、載置センサ４０ａ、光学式温度センサ７ｂ、磁気センサ３１、情報記録再生機５及びエラー頻度測定器７に接続してあり、信号が入出力される入出力ポート８ｄと、前記送受信アンテナ９に接続してある変調／復調回路８ｅとを備える。
【００４１】
制御装置８は前記載置センサ４０ａから前記媒体補充庫８０にカートリッジＣが載置されたことを示す信号が入力された否か判断する（ステップＳ１）。前記媒体補充庫８０にカートリッジＣが載置されたことを示す信号が入力されていないときは（ステップＳ１：ＮＯ）、媒体補充庫８０にカートリッジＣが載置されておらず、ステップＳ１に戻る。前記媒体補充庫８０にカートリッジＣが載置されたことを示す信号が入力されているときは（ステップＳ１：ＹＥＳ）、媒体補充庫８０にカートリッジＣが載置されており、磁気センサ３１からの信号に基づいて搬送機１５を媒体補充庫８０の正面に移動させる（ステップＳ２）。
【００４２】
次に制御装置８は、搬送機１５に、前記媒体補充庫８０に載置してあるカートリッジＣを把持部３０により把持させ、情報記録再生機５の正面へ移動させる（ステップＳ３）。そしてカートリッジＣを前記ドライブ６に挿入し、温度Ｔにて情報の読取りを所定回数試行したときの、試行した回数に対する読取り失敗回数の割合（以下読取りエラー頻度という。）が、記録媒体に記録してあるか否か判断する（ステップＳ４）。ここで温度Ｔは、空気調節器３を設けていない場合に想定される収容室１の最高室温をいう。温度Ｔでの読取りエラー頻度を記録している場合は（ステップＳ４：ＹＥＳ）、読取りエラー頻度を読出す（ステップＳ５）。次に温度Ｔでの読取りエラー頻度に対応する収容室１を選択する（ステップＳ９）。
【００４３】
温度Ｔでの読取りエラー頻度を記録していない場合は（ステップＳ４：ＮＯ）、カートリッジＣをドライブ６から取り出し、エラー頻度測定器７に挿入する。エラー頻度測定器７により、記録媒体に読取りエラー頻度を測定するための測定情報を書込み、電熱線７ａで加熱する。そして光学式温度センサ７ｂから、媒体の温度が温度Ｔ１であることを示す信号が入力されたときに、前記測定情報の読取りを所定回数試行して読取りエラー頻度を測定し、ＲＡＭ８ｃに記憶する（ステップＳ６）。なお温度Ｔ１は温度Ｔよりも低温である。
【００４４】
次に記録媒体の温度を温度Ｔ１よりも高温で、温度Ｔよりも低温の温度Ｔ２まで加熱する。そして温度Ｔ１での読取りエラー頻度を測定し、ＲＡＭ８ｃに記憶する（ステップＳ７）。制御装置８は温度Ｔ１及び温度Ｔ２での読取りエラー頻度に基づいて、記録媒体の温度に対する読取りエラー頻度の関係を求め、該関係に基づいて温度Ｔでの読取りエラー頻度を算出し、温度Ｔでの読取りエラー頻度を記録媒体に記録する（ステップＳ８、図８参照）。
【００４５】
次に温度Ｔでの読取りエラー頻度に対応する収容室１を選択する（ステップＳ９）。そして搬送機１５を移動させ、磁気センサ３１の信号を受信し、選択した収容室１にて搬送機１５を停止させ、カートリッジＣを保管棚１４に格納する（ステップＳ１０）。
【００４６】
次に制御装置８の重要値等分別処理を説明する。図９は実施の形態１に係る記録媒体保管システムの制御装置８の重要値等分別処理を示すフローチャートである。重要値等分別処理は、記録媒体に記録してある情報の重要性を示す重要値及び記録媒体の最新の再生時点に基づいて、ドライブ６に挿入してあるカートリッジＣを保管棚１４にて分別して格納する処理をいう。
【００４７】
制御装置８はカートリッジＣがドライブ６に挿入されたときに、記録媒体に対する情報の記録又は再生が終了したか否か判断する（ステップＳ２１）。記録媒体に対する情報の記録又は再生が終了していない場合には（ステップＳ２１：ＮＯ）、ステップＳ２１に戻る。記録媒体に対する情報の記録又は再生が終了している場合には（ステップＳ２１：ＹＥＳ）、記録媒体に記録してある情報の重要性を示す値（以下、重要値という。）を読出す（ステップＳ２２）。そしてＲＯＭ８ｂを参照して記録媒体に記録してある重要値と、重要値の下限値Ｌとを比較し、記録媒体に記録してある重要値が下限値Ｌよりも大きいか否か判断する（ステップＳ２３）。記録媒体に記録してある重要値が下限値Ｌよりも大きい場合は（ステップＳ２３：ＹＥＳ）、カートリッジＣを供給ファン９２の近傍に格納する（ステップＳ２４）。
【００４８】
記録媒体に記録してある重要値が下限値Ｌよりも小さい場合は（ステップＳ２３：ＮＯ）、制御装置８はＲＡＭ８ｃにアクセスし、ドライブ６に挿入してある記録媒体の最新の再生時点（以下再生時点Ｐ０）を参照する（ステップＳ２５）。そして、ＲＡＭ８ｃにアクセスして、保管棚１４の、前記情報記録再生機５側にある列（以下最新列という。）に保管してある全ての記録媒体の最新の再生時点を参照し、全ての再生時点の中で、最も古い再生時点（以下再生時点Ｐ１）を探索する（ステップＳ２６）。次に再生時点Ｐ０と、再生時点Ｐ１とを比較し、再生時点Ｐ０が再生時点Ｐ１よりも新しいか否か判断する（ステップＳ２７）。再生時点Ｐ０が再生時点Ｐ１よりも新しい場合には（ステップＳ２７：ＹＥＳ）、再生時点Ｐ１のカートリッジＣを最新列から取り出し、他の保管セル１４ｂに格納する（ステップＳ２８）。そして、再生時点Ｐ０のカートリッジＣをドライブ６から取り出し、最新列に格納する（ステップＳ２９）。再生時点Ｐ０が再生時点Ｐ１よりも古い場合には（ステップＳ２７：ＮＯ）、カートリッジＣをドライブ６から取り出し、他の保管セル１４ｂに格納する（ステップＳ３０）。
【００４９】
実施の形態１に係る記録媒体保管システムにおいては、前記保管棚１４及び情報記録再生機５を分離して配置し、前記保管棚１４及び情報記録再生機５の温度を各別に調節する複数の空気調節器３を収容室１にそれぞれ設け、前記記録媒体を前記情報記録再生機５で再生したときの読取りエラー頻度に基づいて、前記記録媒体を保管する保管棚１４を決定する手段を設けることにより、前記保管棚１４及び情報記録再生機５を適切な温度にそれぞれ調節し、また前記読取りエラー頻度に基づいて記録媒体を保管する保管棚１４を選択し、記録媒体を適切な室温にて保管し、空気調節器３の消費電力を抑制することができる。
【００５０】
また前記記録媒体を加熱する電熱線７ａを設け、加熱された記録媒体の前記読取りエラー頻度を検出し、検出した読取りエラー頻度を記録媒体に記録させるエラー頻度測定器７を設けることにより、記録媒体の前記読取りエラー頻度が不明な場合に、読取りエラー頻度を検出し、適切な室温に設定してある収容室１に記録媒体を保管して、空気調節器３の消費電力を抑制することができる。
【００５１】
また前記記録媒体の複数温度での読取りエラー頻度を記録媒体に記録しておき、複数温度での読取りエラー頻度に基づいて、記録媒体の温度と読取りエラー頻度との関係を求め、該関係により前記読取りエラー頻度を算出する手段を設けることにより、高温での読取りエラー頻度が不明な場合に、高温での読取りエラー頻度を算出し、算出した読取りエラー頻度に対応する保管棚１４に、記録媒体を保管して、空気調節器３の消費電力を抑制することができる。
【００５２】
また前記記録媒体に記録してある情報を再生した時点を記憶する手段を設け、記憶してある時点に基づいて、前記保管棚１４での前記記録媒体の配置を決定する手段を設けることにより、再生される頻度が高い記録媒体を前記情報記録再生機５に近い位置に配置し、記録媒体へのアクセス時間を短縮することができる。
【００５３】
また情報の重要性を示す値を記憶する手段と、情報の重要性を示す値に基づいて、前記保管棚１４での前記記録媒体の配置を決定する手段とを設けることにより、重要な情報を記録してある記録媒体を、供給ファン９２の近傍に保管し、重要な情報を記録してある記録媒体の温度上昇を抑制することができる。
【００５４】
また前記搬送機１５が通過するための自動扉２ａを隔壁２に設けることにより、隣接する一方の収容室１から他方の収容室１に流入する空気量を最小限にし、カートリッジＣの搬送を円滑に行うと共に異なる温度の空気が収容室１に流入して室温が変化することを抑制することができる。
【００５５】
なお、前記保管棚１４及び情報記録再生機５の内部に複数の冷却ファンを設けても良い。また各収容室１の温度は前述した温度に限られない。また格納センサ１４ａ及び載置センサ４０ａとしては、光センサ、機械式センサ等が挙げられ、記録媒体としては、光ディスク、テープ等が挙げられる。またエラー頻度測定器７は情報記録再生機５と別体にしても良い。また読取りエラー頻度はＲＯＭ８ｂ又はＲＡＭ８ｃに記憶しても良く、記録媒体に記録する場合に限られない。また三つ以上の温度での読取りエラー頻度を測定して、記録媒体の温度に対する読取りエラー頻度の関係を求めても良い。また再生時点Ｐ０が再生時点Ｐ１よりも新しい場合に、再生時点Ｐ１のカートリッジＣを最新列から取り出し、他の保管セル１４ｂに格納しているが、最新列に空きがある場合には再生時点Ｐ１のカートリッジＣを他の保管セル１４ｂに格納する必要はない。
【００５６】
また温度Ｔ１及び温度Ｔ２の間の温度Ｔ’での読取りエラー頻度を求める必要があるときに、温度Ｔ１及び温度Ｔ２での読取りエラー頻度の平均値を、温度Ｔ’での読取りエラー頻度としてもよい。
【００５７】
（実施の形態２）
以下本発明を実施の形態２に係る記録媒体保管システムを示す図面に基づいて詳述する。図１０は実施の形態２に係る記録媒体保管システムの要部構成を示す模式的断面図、図１１は実施の形態２に係る記録媒体保管システムの情報記録再生機５のドライブ６の内部構成を示す模式的側面断面図、図１２は実施の形態２に係る記録媒体保管システムの保管棚１４の内部構成を示す模式的側面断面図である。
【００５８】
前記情報記録再生機５の筐体５０は、底面の背面寄りに吸気口５１を開設してあり、天井面の背面寄りに排気口５２を開設してある。該吸気口５１及び排気口５２の間に、複数の冷却ファン５３を支持してある。該冷却ファン５３の回転により、吸気口５１から取り入れた空気が、前記ドライブ６及びエラー頻度測定器７を冷却し、前記排気口５２から排出される。
【００５９】
前記ドライブ６及び前記エラー頻度測定器７の挿入口に、断熱性を備えるドライブ開閉蓋６２及び測定器開閉蓋７２がヒンジ６１、及びヒンジ７１を介してそれぞれ連結してある。該ヒンジ６１、及びヒンジ７１の近傍に図示しない小型モータを設けてあり、該小型モータの回転軸が該ヒンジ６１、及びヒンジ７１に連結してある。前記制御装置８からの信号に応じて、前記小型モータが正逆回転し、前記ドライブ開閉蓋６２及び測定器開閉蓋７２が必要に応じて開閉する構成となっている。
【００６０】
前記保管棚１４は、底面の背面寄りに吸気口４１を開設してあり、天井面の背面寄りに排気口４２を開設してある。該吸気口４１及び排気口４２の間に、複数の冷却ファン４３を支持してある。該冷却ファン４３の回転により、吸気口４１から取り入れた空気が、前記保管セル１４ｂを冷却し、前記排気口４２から排出される。
【００６１】
前記保管セル１４ｂは前記カートリッジＣを挿入する挿入口を備えており、該挿入口に断熱性を備えるセル開閉蓋１４ｄがヒンジ１４ｃを介して連結してある。該ヒンジ１４ｃの近傍に図示しない小型モータを設けてあり、該小型モータの回転軸がヒンジ１４ｃに連結してある。前記制御装置８からの信号に応じて、前記小型モータの正逆回転し、前記セル開閉蓋１４ｄが必要に応じて開閉する構成となっている。
【００６２】
前記保管棚１４及び情報記録再生機５を分離して配置し、前記保管棚１４及び情報記録再生機５の内部に複数の前記冷却ファン５３、５３、・・・をそれぞれ設けることにより、前記吸気口５１から取り込んだ空気を前記ドライブ６及びエラー頻度測定器７に当てて、前記ドライブ６及びエラー頻度測定器７を冷却し、前記情報記録再生機５を適切な温度に調節する。
【００６３】
また前記ドライブ開閉蓋６２及び測定器開閉蓋７２を設けることにより、カートリッジＣの挿入及び取出しを行う場合に、前記ドライブ開閉蓋６２及び測定器開閉蓋７２を開き、カートリッジＣの挿入及び取出しを行わない場合は、前記ドライブ開閉蓋６２及び測定器開閉蓋７２を閉じて、前記ドライブ６及びエラー頻度測定器７の内部に外部の空気が流入し続け、前記ドライブ６及びエラー頻度測定器７の温度が上昇することを防止する。
【００６４】
また前記セル開閉蓋１４ｄを設けることにより、カートリッジＣの挿入及び取出しを行う場合に、前記セル開閉蓋１４ｄを開き、カートリッジＣの挿入及び取出しを行わない場合は、前記セル開閉蓋１４ｄを閉じ、前記保管セル１４ｂの内部に外部の空気が流入し続け、前記保管セル１４ｂの温度が上昇することを防止する。
【００６５】
実施の形態２に係る記録媒体保管システムにおいては、前記保管棚１４及び情報記録再生機５を分離して配置し、前記保管棚１４及び情報記録再生機５の温度を各別に調節する複数の冷却ファン４３、及び冷却ファン５３を設け、前記記録媒体を前記情報記録再生機５で再生したときの読取りエラー頻度に基づいて、前記記録媒体を保管する保管棚１４を決定する手段を設けることにより、前記保管棚１４及び情報記録再生機５を適切な温度にそれぞれ調節し、また前記読取りエラー頻度に基づいて記録媒体を保管する保管棚１４を選択し、記録媒体を適切な室温にて保管し、冷却ファン４３の消費電力を抑制することができる。
【００６６】
なお収容室１に空調装置を設けてもよく、保管棚１４にて、冷却ファン４３の近くに重要な情報を記録してある記録媒体を配置しても良い。また寒冷地に設置する場合は、情報記録再生機５及び保管棚１４にヒータを設けても良い。また複数のカートリッジＣのエラー頻度を測定するときに、一つのカートリッジＣのエラー頻度を代表にして測定してもよい。
【００６７】
実施の形態２に係る記録媒体保管システムの構成の内、実施の形態１と同様の構成については、同じ符号を付しその詳細な説明を省略する。
【００６８】
以上の本発明の実施の形態に関し、更に以下の付記を開示する。
（付記１）
情報を記録する記録媒体を保管する保管棚と、前記記録媒体に対し情報の記録及び再生を行う情報記録再生機とを備える記録媒体保管システムにおいて、
前記保管棚を複数有しており、前記保管棚及び情報記録再生機を分離して配置してあり、
前記保管棚及び情報記録再生機の温度を各別に調節すると共に前記保管棚の温度を各別に調節する複数の温度調節器と、
前記情報記録再生機及び保管棚の間を往復し、前記記録媒体を搬送する搬送機と、
前記記録媒体の読取りエラー頻度を記憶する記憶手段と、
該記憶手段に記憶してある読取りエラー頻度に基づいて、前記記録媒体を保管する前記保管棚を決定する手段を有し、前記搬送機の移動を制御する移動制御手段と
を備えることを特徴とする記録媒体保管システム。
【００６９】
（付記２）
前記記録媒体を加熱する媒体加熱器と、
該媒体加熱器により加熱された前記記録媒体の読取りエラー頻度を検出し、検出した読取りエラー頻度を前記記憶手段に記憶させる手段と
を備えることを特徴とする付記１に記載の記録媒体保管システム。
【００７０】
（付記３）
前記記憶手段に前記記録媒体の複数温度での読取りエラー頻度を記憶してあり、
前記移動制御手段は、前記記憶手段に記憶してある複数温度での前記読取りエラー頻度に基づいて、記録媒体の温度に対する読取りエラー頻度を決定する手段を有することを特徴とする付記１又は２に記載の記録媒体保管システム。
【００７１】
（付記４）
前記記録媒体に対し情報を再生した時点を記憶する時点記憶手段を備え、
前記移動制御手段は、前記時点記憶手段に記憶してある時点に基づいて、前記保管棚での前記記録媒体の配置を決定する手段を有することを特徴とする請求項１乃至３のいずれか一つに記載の記録媒体保管システム。
【００７２】
（付記５）
前記記録媒体に記録してある情報の重要度を記憶する情報重要度記憶手段を備え、
前記移動制御手段は、前記情報重要度記憶手段に記憶してある情報の重要度に基づいて、前記保管棚での前記記録媒体の配置を決定することを可能にしてあることを特徴とする付記１乃至４のいずれか一つに記載の記録媒体保管システム。
【００７３】
（付記６）
前記保管棚及び情報記録再生機を各別に収容しており、前記搬送機が通過するための扉部を設けてある複数の収容室を備えることを特徴とする付記１乃至５のいずれか一つに記載の記録媒体保管システム。
【００７４】
（付記７）
前記保管棚及び情報記録再生機は筐体をそれぞれ備えており、前記温度調節器は前記筐体にそれぞれ設けてあることを特徴とする付記１乃至６のいずれか一つに記載の記録媒体保管システム。
【図面の簡単な説明】
【００７５】
【図１】実施の形態１に係る記録媒体保管システムの要部構成を示す模式的断面図である。
【図２】実施の形態１に係る記録媒体保管システムの搬送機の移動状態を説明する説明図である。
【図３】実施の形態１に係る記録媒体保管システムの搬送機の要部構成を示す模式的斜視図である。
【図４】実施の形態１に係る記録媒体保管システムの搬送機の左右摺動駒付近の構成を示す模式的部分正面図である。
【図５】実施の形態１に係る記録媒体保管システムの制御装置の要部構成を示すブロック図である。
【図６】実施の形態１に係る記録媒体保管システムの制御装置のエラー頻度選択処理を示すフローチャートである。
【図７】実施の形態１に係る記録媒体保管システムの制御装置のエラー頻度選択処理を示すフローチャートである。
【図８】記録媒体の読取りエラー頻度と温度との関係の一例を示すグラフである。
【図９】実施の形態１に係る記録媒体保管システムの制御装置の重要値等分別処理を示すフローチャートである。
【図１０】実施の形態２に係る記録媒体保管システムの要部構成を示す模式的断面図である。
【図１１】実施の形態２に係る記録媒体保管システムの情報記録再生機のドライブの内部構成を示す模式的側面断面図である。
【図１２】実施の形態２に係る記録媒体保管システムの保管棚の内部構成を示す模式的側面断面図である。
【符号の説明】
【００７６】
１  収容室
２  隔壁
２ａ  自動扉
３  空気調節器
５  情報記録再生機
６  ドライブ
７  エラー頻度測定器
７ａ  電熱線
７ｂ  光学式温度センサ
８  制御装置
１４  保管棚
１５  搬送機
４３、５３  冷却ファン
Ｃ  カートリッジ
【図１】
2008251122.tif 000003
【図２】
2008251122.tif 000004
【図３】
2008251122.tif 000005
【図４】
2008251122.tif 000006
【図５】
2008251122.tif 000007
【図６】
2008251122.tif 000008
【図７】
2008251122.tif 000009
【図８】
2008251122.tif 000010
【図９】
2008251122.tif 000011
【図１０】
2008251122.tif 000012
【図１１】
2008251122.tif 000013
【図１２】
2008251122.tif 000014